(57)【要約】      （修正有）【課題】陳列の高さ及び間隔を変えることが可能で、従来のパネルのみならず、従来よりも厚みが増したパネルにも対応できるハンガーを提供する。【解決手段】取付部５は、取付基台７と、その取付基台の一面に設けられたパネル２への装着手段１０と、取付基台の他面に突出状に設けられた棒状部６から構成されており、装着手段は、取付基台後面の上端から後方に延び、上向片へ略直角ではなく湾曲部を設けることによって、パネル取付孔の開口部を必要最小限にでき、取付基台後面の下端から後方に延びるその後端はパネルに対して着脱及び抜止めするためのものであって、楔形状や円錐形状や半球形状や球形状や鉤形状や略波形状や螺旋形状の他、これらを１箇所もしくは複数箇所に設けて形成されることでも簡単に構成できるうえ、パネルに対して着脱及び抜止めは確実となるとともに、設営、分解、移設等も容易かつ迅速に行えるものである。【選択図】図１
0003162720.tif 000002
【実用新案登録請求の範囲】
【請求項１】
パネルへ装着する装着手段を備えたパネルの取付孔への取付部と、前端が上向きに折曲された棒状部からなり、取付部は、取付基台とその取付基台の一面に設けられたパネルへの装着手段と、取付基台の他面に突出状に設けられた棒状部から構成されており、装着手段は、取付基台後面の上端から後方に延び、上向片へ略直角ではなく湾曲部を設けることことからなり、また取付基台後面の下端から後方に延びて、その後端が楔形状と形成されることでパネルに着脱可能ができることを特徴とするハンガー。
【請求項２】
棒状部に沿って凸リブのような補強部を設けることで、棒状部の強度が増して、長期的な使用が可能となるとともに商品への安定性と、取り替える頻度を減らすことで経済性を向上させることができる請求項１記載のハンガー。
【請求項３】
第１装着手段から上向片へ、その内周および外周に折曲面を設けることを特徴とする請求項１又は請求項２記載のハンガー。
【請求項４】
取付基台後面の下端から後方に延びる装着手段の後端が、円錐状に構成されることを特徴とする請求項１又は請求項２記載のハンガー。
【請求項５】
取付基台後面の下端から後方に延びる装着手段の後端が、半球形状に構成されることを特徴とする請求項１又は請求項２記載のハンガー。
【請求項６】
取付基台後面の下端から後方に延びる装着手段の後端が、球形状に構成されることを特徴とする請求項１又は請求項２記載のハンガー。
【請求項７】
取付基台後面の下端から後方に延びる装着手段の後端が、略鉤形状に構成されることを特徴とする請求項１又は請求項２記載のハンガー。
【請求項８】
取付基台後面の下端から後方に延びる装着手段の後端が、略波状に構成されることを特徴とする請求項１又は請求項２記載のハンガー。
【請求項９】
取付基台後面の下端から後方に延びる装着手段の後端が、螺旋状に構成されることを特徴とする請求項１又は請求項２記載のハンガー。
【請求項１０】
取付基台後面の下端から後方に延びる装着手段の後端が、１箇所もしくは複数箇所に棒状部を設けることを特徴とした請求項１〜９のいずれかに記載のハンガー。
【請求項１１】
取付部の他面から前方突出状に設けられて、棒状部を回転自在に保持される保持部からなることで、棒状部を回転させて折りたたむことができることを特徴とする請求項１〜１０のいずれかに記載のハンガー。
【請求項１２】
上記棒状部とともに取付部の他面に１箇所もしくは複数箇所に棒状部などを設けることで、パネル装着時に取付部の棒状部に商品を掛けてなお、もう一方の棒状部に、広告を添付することのできることを特徴とする請求項１〜１１のいずれかに記載のハンガー。
【考案の詳細な説明】
【技術分野】
【０００１】  本考案は、家庭内や会社内や販売店舗などで、各種商品を吊り下げ陳列する際に用いられる商品陳列用什器に関するものである。
【背景技術】
【０００２】  従来より、商品の包装・ケース等にフック又は孔等を備え、その孔等をパネルの前面にハンガー用の孔等を穿設して、該ハンガーをパネルに係止した物が、知られている。【０００３】  実際には、商品を販売する小売店において、パネルを適当な場所に設置し、ハンガーに商品を掛けて陳列されている。【０００４】  パネルには、紙又は合成樹脂製の物などがあり、厚みも様々で、必要に応じて意匠が施され、その適宜箇所に孔等が一つもしくは複数箇所に設けられている。
【考案が解決しようとする課題】
【０００５】  ところで、このものは、パネルに穿設するハンガーを係止するための取付孔も大きくなり、ハンガーの安定性や、パネルの強度や生産性が損なわれるという欠点があった。かかる問題を解消するため、パネルの取付孔に切込み部を設けて折り曲がるようにすることで、取付孔の開口部は小さくなるが、取付孔の形状が複雑になり、実際に利用するにはパネルの強度や生産性が損なわれるという欠点があった。
【０００６】  また、従来の技術では、パネルの素材として従来より多く用いられてきた厚紙・ボール紙等よりも、地球環境や経済性の観点からも求められるダンボールのような、厚みの増したパネルへの対応には困難である等といった欠点があった。
【０００７】  そこで、本考案は上記のような実情を鑑みたものであり、容易に設営でき、店頭のスペースや商品の大きさや数量、あるいは陳列の高さ及び間隔を変えることが可能で、従来のパネルのみならず、従来よりも厚みが増したパネルにも対応できるハンガーを、提供することを目的とするものである。
【課題を解決する為の手段】
【０００８】  上記目的を達成するために、本考案は、次の技術的手段を講じた。
すなわち本考案は、取付基台に、パネルへ装着する装着手段を備える取付部と、棒状部から構成されるハンガーにおいて、取付部は、棒状部を保持した状態でパネルへと着脱可能とされているものである。
【０００９】  この場合、パネルへ装着する装着手段を備えたパネルの取付孔等への取付部と、前端が上向きに折曲された棒状部からなり、取付部は、取付基台と、その取付基台の一面に設けられたパネルへの装着手段と、取付基台の他面に突出状に設けられた棒状部から構成されており、装着手段は、取付基台後面の上端から後方に延び、上向片へ略直角ではなく湾曲部もしくは折曲面部を設けることによってパネル取付孔の開口部を必要最小限にできる。そして、取付基台後面の下端から後方に延び、その後端が楔形状と形成されることでパネルに抜止することができる。
【００１０】  この場合、取付基台後面の下端から後方に延びるその後端はパネルに対して着脱及び抜止めするためのものであって、これらを楔形状や円筒形状や円錐形状や半球形状や球形状や鉤形状や略波形状や螺旋形状の他、１箇所もしくは複数箇所に設けて形成されることでも簡単に構成できるうえ、パネルに対して着脱及び抜止めは確実となる。
【００１１】  さらに、上記棒状部とともに取付部の他面に１箇所もしくは複数箇所に棒状部などを設けることで、パネル装着時に取付部の棒状部に商品を掛けてなお、もう一方の棒状部に、広告等を添付して販売をより促進することもできる。
【００１２】  また、本考案は、パネルへ装着する装着手段を備えたパネルの取付孔等への取付部と、その長手方向一端が回転自在に保持される棒状部からなることで、パネルにハンガーを装着した状態での搬送・保管の際には、棒上部を回転して折りたたむことでハンガーが邪魔になることなく、梱包が容易に行え、また、余分なスペースをとる事も無くなり、取付部は、取付基台と、その取付基台の一面に設けられたパネルへの装着手段と、取付基台の他面に突出状に設けられた棒状部から構成されており、装着手段は、取付基台後面の上端から後方に延び、上向片へ略直角ではなく湾曲部もしくは折曲面部を設けることによって、パネル取付孔の開口部を必要最小限にでき、取付基台後面の下端から後方に延びるその後端はパネルに対して着脱及び抜止めするためのものであって、これらを楔形状や円筒形状や円錐形状や半球形状や球形状や鉤形状や略波形状や螺旋形状の他、１箇所もしくは複数箇所に設けて形成されることでも簡単に構成できるうえ、パネルに対して着脱及び抜止めは確実となる。
【００１３】  また、棒状部に沿って凸リブのような補強部を設けることで、棒状部の強度が増して商品への安定性と、長期的な利用によって経済性を向上させることができる。
【００１４】  また、構造が極めて簡単であることから、装着手段の長さを異なるように形成して、使用場所や異なるパネルの厚さに対応することも容易である。
【考案の実施形態】
【００１５】  以下図面に基づいて本考案の実施の形態を説明する。
図１〜図１２に示す第１の実施の形態に係るハンガー１は、取付基台７にパネルへ装着する装着手段を備えたパネルの方形状の取付孔３及び取付孔４への取付部５と、前端が上向きに折曲された棒状部６からなる。
【００１６】  取付部５は、取付基台７と、その取付基台７の一面９に設けられたパネルへの装着手段１０と、取付基台２７の他面（前面８）に前方突出状に設けられた棒状部６から構成されている。
【００１７】  取付基台７は、図６に示すように、取付孔３及び取付孔４よりも大きく、形成されている。装着手段１０は、取付基台後面９の上端に設けられた第１装着手段１１及び同じく下端に設けられた第２装着手段１４とからなる。
【００１８】  第１装着手段１１は、取付基台後面９の上端から後方に延び、湾曲部１３、１３を有して上向片１２を備えて側面視が略Ｌ字状を形成している。第２装着手段１４は、取付基台後面９の下端から後方に延び、その後端１５が楔形状となっている。
【００１９】  また、略水平状態（やや上向き）にされてフックまたは孔を有する商品を引っ掛けることができるようになっているハンガー１の棒状部６に沿って凸リブのような補強部１６を設けることで、棒状部６の強度を増して商品への安定性と、長期的な利用によって経済性を向上させることができる。
【００２０】  また、図２０〜図２１に示すように、第１装着手段１１から上向片１２には略直角ではなく、その内周および外周に折曲面部１３のように折曲面を設けることでも、取付孔３の開口部を必要最小限にできる。
【００２１】  上記装着手段１０を備えた取付部７によって、ハンガー１をパネル２に装着させるには、次のような手順を行う。まず図１０〜図１２に示すように第１装着手段１１を取付孔３に、挿通させ上向片１２を取付孔３上端に係合させる。続いて、第２装着手段１４を取付孔４に挿通させる。挿通後は、上方に長く形成された上向片１２と、第２装着手段１４の後端１５が楔形状に形成されることで抜止される。
【００２２】  なお、第１装着手段１１の取付基台後面９から上向片１２までの間隔及び、第２装着手段１４の、取付基台から後端１５の楔形状までの間隔は、対象となるパネルの厚さと略同程度とされ、第１装着手段１１の上向片１２及び第２装着手段１４の後端１５の楔形状と取付基台後面９で、パネルを挟み込むようになっている。
【００２３】  図１３〜図１４は、本考案の第２の実施の形態係るハンガー１８を示しており、このハンガー１８では、取付部７の他面（前面８）に棒状部６を設けるとともに、取付部７の他面（前面８）に、複数箇所の棒状部１９を設けることで、パネル装着時に棒状部６に商品を掛けてなお、もう一方の棒状部１９に商品の仕様や価格や詳細や特徴等といった広告等２０を添付して、販売をより効果的に促進することができることを特徴としている。
【００２４】  図１５〜図１７は、本考案の第３の実施の形態係るハンガー２１を示しており、このハンガーでは、取付部の他面（前面２３）から前方突出状に設けられて、棒状部２２を回転自在に保持される保持部２３からなることで、パネル２にハンガーを装着した状態での搬送・保管の際には、棒状部２２を回転させて折りたたむことでハンガーが邪魔になることなく、梱包が容易に行え、また、余分なスペースをとる事も無くなるものである。このハンガー２１はパネルに装着され、ハンガー２１の不使用時には棒状部２２が上向きに折りたたまれ、使用時には図１５に示すように、略水平状態（やや上向き）にされてフックまたは孔を有する商品を引っ掛けることができるようになる。
【００２５】  また、図１８〜図１９は、本考案の第４の実施の形態係るハンガーを示しており、第２装着手段１４が、複数箇所に設けて形成されることで、パネル３に対して着脱及び抜止めを確実となることを特徴としている。
【００２６】  また、図２２〜図２３は、本考案の第５の実施の形態係るハンガー３９を示しており、取付基台７後面９の下端から後方に延びる第２装着手段１４の後端はパネル３に対して着脱及び抜止めするためのものであることから、円錐状２７に構成されるとともに、前述同様、１箇所もしくは複数箇所に設けることでパネル３に対して着脱及び抜止めも確実となる。
【００２７】  また、図２４〜図２５は、本考案の第６の実施の形態係るハンガー２８を示しており、取付基台７後面９の下端から後方に延びる第２装着手段１４の後端はパネル２に対して着脱及び抜止めするためのものであることから、半球形状に構成されるとともに、前述同様、１箇所もしくは複数箇所に設けることでパネル２に対しての着脱及び抜止めも確実となるうえ、第５の実施の形態係るハンガー３９を示した第２装着手段１４の後端に形成される円錐状２７に比べ、パネルへの装着時の作業やパネル裏面側に係る壁面や什器などへの安全面に優れるといった特徴をもっている。
【００２８】  また、図２６〜図２７は、本考案の第７の実施の形態係るハンガー３０を示しており、取付基台７後面９の下端から後方に延びる第２装着手段１４の後端はパネル２に対して着脱及び抜止めするためのものであることから、球形状３１に構成されるとともに、前述同様、１箇所もしくは複数箇所に設けることでパネル２に対して着脱及び抜止めも確実となるうえ、パネルへの装着時の作業やパネル裏面側に係る壁面や什器などへの安全面に優れるといった特徴をもっている。
【００２９】  また、図２８〜図２９は、本考案の第８の実施の形態係るハンガー３２を示しており、取付基台７後面９の下端から後方に延びる第２装着手段１４の後端はパネル２に対して着脱及び抜止めするためのものであることから、略鉤形状３３に構成されるとともに、前述同様、１箇所もしくは複数箇所に設けることでパネル２に対して着脱及び抜止めも確実となるうえ、パネルへの装着時の作業やパネル裏面側に係る壁面や什器などへの安全面に優れるといった特徴をもっている。
【００３０】  また、図３０〜図３１は、本考案の第９の実施の形態係るハンガー３４を示しており、取付基台７後面９の下端から後方に延びる第２装着手段はパネルに対して着脱及び抜止めするためのものであることから、略波形状３５に構成されるとともに、前述同様、１箇所もしくは複数箇所に設けることでパネル２に対して着脱及び抜止めも確実となるうえ、パネルへの装着時の作業やパネル裏面側に係る壁面や什器などへの安全面に優れるといった特徴をもっている。
【００３１】  また、図３２〜図３３は、本考案の第１０の実施の形態係るハンガー３６を示しており、取付基台７後面９の下端から後方に延びる第２装着手段はパネルに対して着脱及び抜止めするためのものであることから、螺旋形状３７に構成されるとともに、前述同様、１箇所もしくは複数箇所に設けることでパネル２に対して着脱及び抜止めも確実となるうえ、パネルへの装着時の作業やパネル裏面側に係る壁面や什器などへの安全面に優れるといった特徴をもっている。
【００３２】  さらにまた、上記した実施の形態の取付基台７後面９の下端から後方に延びるその後端１５はパネルに対して着脱及び抜止めするためのものであることから、楔形状や、円筒形状や円錐形状や半球形状や球形状や鉤形状や略波形状や螺旋形状の他に様々な形状にも簡単に構成できるうえ、前述同様、１箇所もしくは複数箇所に設けることでパネル２に対して着脱及び抜止めも確実となる。
【００３３】  なお、上記した実施の形態は例示的なものであって限定的なものではない。すなわち、本考案の範囲は前記した実用新案請求の範囲によって示され、その請求項の意味に入るすべての変形例は本考案に含まれるものである。
【考案の効果】
【００３４】  本考案によれば、家庭内や会社内や販売店舗などで、各種商品を吊り下げ陳列する際に用いられる商品陳列用什器に関するものであり、パネルへ装着する装着手段を備えたパネルの取付孔等への取付部と、前端が上向きに折曲された棒状部からなり、取付部は、取付基台と、その取付基台の一面に設けられたパネルへの装着手段と、取付基台の他面に突出状に設けられた棒状部から構成されており、装着手段は、取付基台後面の上端から後方に延び、上向片へ略直角ではなく湾曲部を設けることによって、パネル取付孔の開口部を必要最小限にできる。
【００３５】  そして、取付基台後面の下端から後方に延び、その後端が楔形状と形成されることでパネルに抜止することができる。また、取付基台後面の下端から後方に延びるその後端はパネルに対して着脱及び抜止めするためのものであって、楔形状や円筒形状や円錐形状や半球形状や球形状や鉤形状や略波形状や螺旋形状の他、１箇所もしくは複数箇所に設けて形成されることでも簡単に構成できるうえ、パネルに対して着脱及び抜止めは確実となる。
【００３６】  また、パネルへ装着する装着手段を備えたパネルの取付孔等への取付部と、その長手方向一端が回転自在に保持される棒状部からなることで、パネルにハンガーを装着した状態での搬送・保管の際には、棒上部を回転して折りたたむことでハンガーが邪魔になることなく、梱包が容易に行え、また、余分なスペースをとる事も無くなる
【００３７】  また、略水平状態（やや上向き）にされてフックまたは孔を有する商品を引っ掛けることができるようになっているハンガーの棒状部に沿って凸リブのような補強部を設けることで、棒状部の強度が増して商品への安定性と、長期的な利用によって経済性を向上させることができる。
【００３８】さらにまた、本考案では、ハンガーの取付部の他面に商品を引っ掛けられる棒状部を設けるとともに、取付部の他面に１箇所もしくは複数箇所に棒状部を設けることで、パネル装着時に棒状部に商品を掛けてなお、もう一方の棒状部に商品の仕様や価格や特徴といった広告等を添付して販売をより効果的に促進することもできる。  また構造が極めて簡単であるとともに取扱上、極めて好適である等の幾多の実用効果を奏するものである。
【図面の簡単な説明】
【００３９】
【図１】本考案の第１の形態に係るハンガーを示す側面図である
【図２】図１の平面図である
【図３】図１の底面図である
【図４】図１の正面図である
【図５】図１の背面図である
【図６】使用状態を示す装着パネルを介在した図１の斜視図である
【図７】図１の背面斜視図である
【図８】パネルへの装着状態を示した図５の斜視図である
【図９】パネルへの装着状態を示した図５の背面斜視図である
【図１０】図１のパネルへの取付手順を示す側面図である
【図１１】図１のパネルへの取付手順を示す側面図である
【図１２】図１のパネルへの取付手順を示す側面図である
【図１３】本考案の第２の形態に係るハンガーを示す側面図である
【図１４】本考案の第２の形態に係るハンガーを示す斜視図である
【図１５】本考案の第３の形態に係るハンガーを示す側面図である
【図１６】本考案の第３の形態に係るハンガーを示す斜視図である
【図１７】本考案の第３の形態に係るハンガーを示す分解図である
【図１８】本考案の第４の形態に係るハンガーを示す側面図である
【図１９】本考案の第４の形態に係るハンガーを示す背面斜視図である
【図２０】第１装着手段から上向片へ折曲面部を設けた側面図である
【図２１】第１装着手段から上向片へ折曲面部を設けた背面斜視図である
【図２２】本考案の第５の形態に係るハンガーを示す側面図である
【図２３】本考案の第５の形態に係るハンガーを示す背面斜視図である
【図２４】本考案の第６の形態に係るハンガーを示す側面図である
【図２５】本考案の第６の形態に係るハンガーを示す背面斜視図である
【図２６】本考案の第７の形態に係るハンガーを示す側面図である
【図２７】本考案の第７の形態に係るハンガーを示す背面斜視図である
【図２８】本考案の第８の形態に係るハンガーを示す側面図である
【図２９】本考案の第８の形態に係るハンガーを示す背面斜視図である
【図３０】本考案の第９の形態に係るハンガーを示す側面図である
【図３１】本考案の第９の形態に係るハンガーを示す背面斜視図である
【図３２】本考案の第１０の形態に係るハンガーを示す側面図である
【図３３】本考案の第１０の形態に係るハンガーを示す背面斜視図である
【符号の説明】
【００４０】１  ハンガー  ２  パネル
３  第１装着手段に係る取付孔
４  第２装着手段に係る取付孔
５  取付部
６  棒状部
７  取付基台
８  取付基台の前面
９  取付基台の背面
１０  装着手段
１１  第１装着手段
１２  第１装着手段の上端
１３  第１装着手段の湾曲部
１４  第２装着手段
１５  第２装着手段の後端
１６  補強の凸リブ
１９  広告等を掲示する棒状部
２２  長手方向一端が回転自在に保持される棒状部
２３  棒状部保持具
２５  折曲面部
２７  円錐形状の第２装着手段
２９  半球形状の第２装着手段
３１  球形状の第２装着手段
３３  略鉤形状の第２装着手段
３５  略波形状の第２装着手段
３７  螺旋形状の第２装着手段
【図１】
0003162720.tif 000003
【図２】
0003162720.tif 000004
【図３】
0003162720.tif 000005
【図４】
0003162720.tif 000006
【図５】
0003162720.tif 000007
【図６】
0003162720.tif 000008
【図７】
0003162720.tif 000009
【図８】
0003162720.tif 000010
【図９】
0003162720.tif 000011
【図１０】
0003162720.tif 000012
【図１１】
0003162720.tif 000013
【図１２】
0003162720.tif 000014
【図１３】
0003162720.tif 000015
【図１４】
0003162720.tif 000016
【図１５】
0003162720.tif 000017
【図１６】
0003162720.tif 000018
【図１７】
0003162720.tif 000019
【図１８】
0003162720.tif 000020
【図１９】
0003162720.tif 000021
【図２０】
0003162720.tif 000022
【図２１】
0003162720.tif 000023
【図２２】
0003162720.tif 000024
【図２３】
0003162720.tif 000025
【図２４】
0003162720.tif 000026
【図２５】
0003162720.tif 000027
【図２６】
0003162720.tif 000028
【図２７】
0003162720.tif 000029
【図２８】
0003162720.tif 000030
【図２９】
0003162720.tif 000031
【図３０】
0003162720.tif 000032
【図３１】
0003162720.tif 000033
【図３２】
0003162720.tif 000034
【図３３】
0003162720.tif 000035
【図３４】
0003162720.tif 000036
【手続補正書】
【提出日】平成22年7月15日(2010.7.15)
【手続補正１】
【補正対象書類名】明細書
【補正対象項目名】００３９
【補正方法】変更
【補正の内容】
【００３９】
【図１】本考案の第１の形態に係るハンガーを示す側面図である
【図２】図１の平面図である
【図３】図１の底面図である
【図４】図１の正面図である
【図５】図１の背面図である
【図６】使用状態を示す装着パネルを介在した図１の斜視図である
【図７】図１の背面斜視図である
【図８】パネルへの装着状態を示した図５の斜視図である
【図９】パネルへの装着状態を示した図５の背面斜視図である
【図１０】図１のパネルへの取付手順を示す側面図である
【図１１】図１のパネルへの取付手順を示す側面図である
【図１２】図１のパネルへの取付手順を示す側面図である
【図１３】本考案の第２の形態に係るハンガーを示す側面図である
【図１４】本考案の第２の形態に係るハンガーを示す斜視図である
【図１５】本考案の第３の形態に係るハンガーを示す側面図である
【図１６】本考案の第３の形態に係るハンガーを示す斜視図である
【図１７】本考案の第３の形態に係るハンガーを示す分解図である
【図１８】本考案の第４の形態に係るハンガーを示す側面図である
【図１９】本考案の第４の形態に係るハンガーを示す背面斜視図である
【図２０】第１装着手段から上向片へ折曲面部を設けた側面図である
【図２１】第１装着手段から上向片へ折曲面部を設けた背面斜視図である
【図２２】本考案の第５の形態に係るハンガーを示す側面図である
【図２３】本考案の第５の形態に係るハンガーを示す背面斜視図である
【図２４】本考案の第６の形態に係るハンガーを示す側面図である
【図２５】本考案の第６の形態に係るハンガーを示す背面斜視図である
【図２６】本考案の第７の形態に係るハンガーを示す側面図である
【図２７】本考案の第７の形態に係るハンガーを示す背面斜視図である
【図２８】本考案の第８の形態に係るハンガーを示す側面図である
【図２９】本考案の第８の形態に係るハンガーを示す背面斜視図である
【図３０】本考案の第９の形態に係るハンガーを示す側面図である
【図３１】本考案の第９の形態に係るハンガーを示す背面斜視図である
【図３２】本考案の第１０の形態に係るハンガーを示す側面図である
【図３３】本考案の第１０の形態に係るハンガーを示す背面斜視図である
【図３４】本考案の棒状部の長さを変えた形態の一例を示す側面図である